(57)【要約】【課題】  従来のコンクリートスラブの止水処理を行う貫通孔の蓋は、スラブ表面の仕上げに止水性能が左右されるものや、使用するスリーブの材質を指定するものであった。また、蓋の上部がコンクリートに覆われた時や、蓋の撤去時などに、工具を使用しなければならなかった。【解決手段】  本発明のスラブ貫通孔の蓋は、スラブコンクリートを貫通孔の蓋の上部まで覆いかぶせるとこで、貫通孔の止水処理を行うため、スラブの表面の仕上げに止水性能が左右されることが無く、スリーブの材質も限定することはない。また、撤去時は、コンクリートに亀裂を生じさせる誘発目地を備えた剥離板を引き上げることにより、工具を使用することなくコンクリートを破壊し、貫通孔の蓋の撤去を行う。【選択図】図１
2007146614.tif 000002
【特許請求の範囲】
【請求項１】
スラブ貫通孔の蓋において、コンクリートを貫通孔の蓋から剥離させるために伸縮可能な材料で形成された剥離板を備えたことを特徴とするスラブ貫通孔の蓋。
【請求項２】
スラブ貫通孔の蓋の上部を覆ったコンクリートを除去する際に、コンクリートに亀裂を発生させる誘発目地を備えたことを特徴とするスラブ貫通孔の蓋。
【請求項３】
スラブ貫通孔の蓋の撤去の際に、工具を使用することなく撤去できることを特徴とするスラブ貫通孔の蓋。
【請求項４】
スラブ貫通孔の蓋の上部のコンクリートを除去する際に、手掛け部を引き上げることにより剥離板が変形し、誘発目地位置のコンクリートに亀裂が生じて、蓋の上部のコンクリートが、破壊されることを特徴とするスラブ貫通孔の蓋
【請求項５】
スラブ貫通孔の蓋の上部に資材若しくは、人が乗った際に踏み抜くことがないように防止する耐圧板とコンクリートが耐圧板に付着することを防止する剥離板を備えたことを特徴とするスラブ貫通孔の蓋。
【請求項６】
スラブ貫通孔の蓋を撤去する際に、手掛け部を引き上げることにより耐圧板が、持ち上がる構造になっている耐圧板保護部を備えたことを特徴とするスラブ貫通孔の蓋。
【発明の詳細な説明】
【技術分野】
【０００１】  本発明は、建築中の建造物の中に流入する雨水を、施工階のスラブを止水処理することにより、下階に流入することを防止するために、スラブ貫通孔から下の階に流れ落ちないように、止水処理するためのスラブ貫通孔の蓋に関しる。
【背景技術】
【０００２】  従来の止水階のスラブに設置するスラブ貫通孔の止水処理用の蓋には、スラブコンクリートを打設後にスラブ貫通孔を覆うような形で止水対策を施したスラブ貫通孔の蓋がある（例えば、図７、非特許文献１参照）。または、金属製のスリーブを用い、貫通孔の蓋のスリーブ差込み部にパッキンを取付けた止水対策を施したものがある（特許文献１）。さらに、スラブ貫通孔の止水処理方法として貫通孔を形成するためのスリーブ型枠材の天端をスラブ天端より下げて設置し、紙製スリーブ型枠材の天端をテープなどで覆い、コンクリート打設時にスラブ貫通孔の上部までコンクリートを打設して覆う方法があった（図８）。
【非特許文献１】  「バロンズの建設パーツ総合カタログ  Ｎｏ．６」、バロンズ株式会社、２００３年、Ｐ  ７９、ホールカバー防水型（Ｍ−５４Ｋ５）
【特許文献１】  特開２００４−２７０３９６号  公報
【発明の開示】
【発明が解決課題】
【０００３】  ところが、前記で述べたスラブコンクリートを打設後にスラブ貫通孔を覆うような形で止水対策を施したスラブ貫通孔の蓋では、スラブコンクリート打設後でなければ取付けることができず、スラブ完成後に取り付ける手間を有するものであった。また、パッキン材（０６）を有する蓋（０５）を金具（０７）により、スラブ表面に圧着するもので、スラブ表面の仕上げに止水性能が左右されるものであった。さらに、取付け時、撤去時に工具を使用する必要があった。
【０００４】  また、前記で述べた金属製のスリーブを用い、貫通孔の蓋のスリーブ差込み部にパッキンを取付けた止水対策を施したスラブ貫通孔の蓋では、金属など耐水性の材質で成型されたスリーブを使用しなければならないものであった。また、撤去の際に工具を使用しなければならなかったものである。さらに、施工誤差などにより蓋の上部がコンクリートに覆われると、工具を用いコンクリートを破壊した後に蓋を撤去するものであった。
【０００５】  前記で述べたスラブ貫通孔の止水処理方法では、スラブ貫通孔の上部がコンクリートに覆われると、スラブ貫通孔の上部を覆ったコンクリート（０８）を撤去する際に、工具を用い貫通孔の上部を覆ったコンクリートを破壊しなければならないものであった。
【０００６】  本発明は、このような従来の構成が有している問題を解決しようとするものであり、工具を使用することなく貫通孔の蓋、及び蓋の上部を覆うコンクリートを撤去可能とし、止水処理を行ったスラブ貫通孔からの湧水を確実に防止することを目的とするものである。
【課題を解決するための手段】
【０００７】  上記課題を解決するために、本発明のスラブ貫通孔スリーブ蓋は、伸縮可能な材料、例えば、軟質ゴム系の材料で形成されは剥離板（１１０）と、コンクリートで覆われた貫通孔の上部に資材若しくは、人が乗った際に踏み抜くことがないように防止する耐圧板（１２０）を有する構造となっている。
【０００８】  剥離板（１１０）には、撤去の際に蓋の上部のコンクリートを撤去しやすくするために、コンクリートに亀裂を誘発させる誘発目地（１１４）と、耐圧板にコンクリートが付着するのを防止し、剥離板（１１０）を引き上げた際に耐圧板（１２０）を持ち上げる構造となっている耐圧板保護部（１１３）と剥離板を持ち上げる際に使用する手掛け部（１１２）からなる構造となっている。
【０００９】  剥離板の誘発目地（１１４）は、スラブコンクリートと貫通孔の蓋の上部を覆うコンクリートの間に亀裂を誘発させる外周誘発目地（１１４Ｇ）と、貫通孔の蓋の上部を覆うコンクリートを放射状に破壊する目的の亀裂をコンクリートに発生させるための内部誘発目地（１１４Ｓ）からなる構造となっている。
【００１０】  剥離板の手掛け部（１１２）は、手を掛けるための環形状であり、剥離板（１１０）と剥離板の上部に覆うコンクリートを引き上げる十分な強度を備えた構造となっている。
【００１１】  剥離板の耐圧板保護部（１１３）は、コンクリートが、耐圧板に付着することを防止し、剥離板を引き上げた際に耐圧板を持ち上げる機能を有する構造となっている。
【００１２】  耐圧板（１２０）は、貫通孔の上部に加わる荷重に耐える強度を持ち、ずれ止め部（１２２）を有する構造となっている。
【発明の効果】
【００１３】  本発明のスラブ貫通孔の蓋を利用することにより、スラブコンクリート打設前に貫通孔スリーブにコンクリートが流れ込むのを防止する蓋として設置できコンクリートスラブ打設後、直ちにスラブ貫通孔の止水処理が可能となる。
【００１４】  また、スリーブの材質にとらわれることなく使用でき、撤去の際にとくに工具を使用することなく撤去できる。さらに、スラブ貫通孔の蓋の上部が、コンクリートに覆われた際に、工具を使用することなく、スラブ貫通孔のスリーブ蓋の撤去作業が行えることにより、スラブ貫通孔の処理作業の短縮が可能となる。そして、本発明のスラブ貫通孔スリーブ蓋は、再使用が可能なため経費の削減が可能となる。
【００１５】  スラブ貫通孔の止水処理を行った止水階は、下層階の仕上げ作業を円滑におこなえることから、工事期間の短縮と建設時の費用の節減が可能となる。
【発明を実施するための最良の形態】
【００１６】  スラブ貫通孔を取付ける際に、（図１）に示すように、スラブコンクリートがスラブ貫通孔の蓋を覆うようにするため、スラブ天端より貫通孔の蓋の天端が低い位置になるように取付ける。また、耐圧板のずれ止め部（１２２）と剥離板の耐圧板保護部（１１３）でスリーブを挟み込む。【００１７】  スラブを形成するコンクリートとスラブ貫通孔の上部を覆ったコンクリートは、一体化されたものとなり、貫通孔の止水処理が完了する。【００１８】  貫通口の上部のコンクリートを撤去する際、手掛け部（１１２）を上方に引っ張ることにより、誘発目地（１１４）を取付けた剥離板（１１０）が、上方に引っ張られることで変形し、誘発目地（１１４）部分のコンクリートに亀裂が入り、コンクリートが、破壊され剥離板（１１０）から剥離する。（図２）【００１９】  剥離したコンクリートを撤去後、さらに手掛け部（１１２）を上方に引っ張ると耐圧板（１２０）が持ち上がりスラブ貫通孔の蓋の撤去が完了する。
【図面の簡単な説明】
【００２０】
【図１】は、本発明のスラブ貫通孔の蓋を設置した状態を示す立面図。
【図２】は、剥離板を変形させてコンクリートを破壊した状況を示す断面図。
【図３】は、Ｃ１−Ｃ１断面図。
【図４】は、Ｃ２−Ｃ２断面図。
【図５】は、上方向から見下げた平面図。
【図６】は、下方向から見上げた平面図。
【図７】は、従来のスラブ貫通孔の蓋の状態を示す断面図。
【図８】は、従来の方法の状態を示す断面図。
【符号の説明】
【００２１】０１      スラブコンクリート
０２      スラブ型枠
０３      スリーブ型枠材
０４      破壊したコンクリート
０５      従来の貫通孔の止水蓋を示す。
０６      従来の貫通孔の止水蓋のパッキンを示す。
０７      従来の貫通孔の止水蓋の固定金具を示す。
０８      破壊されるコンクリートを示す。
１１０    貫通口の蓋の剥離板を示す。
１１２    剥離板の手掛け部を示す。
１１３    離板の耐圧板保護部を示す。
１１４    剥離板の誘発目地部を示す。
１１４Ｇ  誘発目地部の外周誘発目地を示す。
１１４Ｓ  誘発目地部の内部誘発目地を示す。
１２０    貫通口の蓋の耐圧板を示す。
１２１    耐圧板の耐圧部を示す。
１２２    耐圧板のずれ止め部を示す。
【図１】
2007146614.tif 000003
【図２】
2007146614.tif 000004
【図３】
2007146614.tif 000005
【図４】
2007146614.tif 000006
【図５】
2007146614.tif 000007
【図６】
2007146614.tif 000008
【図７】
2007146614.tif 000009
【図８】
2007146614.tif 000010